(57)【要約】【課題】取付パネルの厚みに拘わらず、表示装置を取付パネルに対して安定して取り付けることができる表示装置の取付具を提供すること。【解決手段】取付パネルＰに形成された円形状の取付孔ＰＨに表示装置１を取り付けるための取付具であって、表示装置１から円筒状に突出して取付孔ＰＨに挿通され、外周面に取付部側ネジ溝６Ｃが形成された取付部６Ｂと、外周面に取付部側ネジ溝６Ｃと螺合するナット側ネジ溝が形成され、外周面に取付孔ＰＨよりも外側に張り出した張出部が設けられた取付ナット２０と、を備え、張出部は、取付ナット２０が一方の開口端から取付部６Ｂに螺合したときに取付パネルＰと対向する第１対向面と、取付ナット２０が他方の開口端から取付部６Ｂに螺合したときに取付パネルＰと対向する第２対向面とを有し、他方の開口端から第２対向面までの距離が、一方の開口端から第１対向面までの距離よりも長いものとされている。【選択図】図２
2015075649.tif 000002
【特許請求の範囲】
【請求項１】
取付パネルに形成された円形状の取付孔に、表示画面を有する表示装置を取り付けるための取付具であって、
前記表示装置のうち前記表示画面を有しない面から円筒状に突出し、前記取付孔に挿通されるとともに、外周面にネジ溝が形成された取付部と、
円環状をなし、一方の開口端および他方の開口端の両方の内周面に、前記取付部のネジ溝と螺合するネジ溝が形成され、外周面に、前記取付孔よりも外側に張り出した張出部が設けられた螺合部材と、を備え、
前記張出部は、前記螺合部材が前記一方の開口端から前記取付部に螺合したときに前記取付パネルと対向する第１対向面と、前記螺合部材が前記他方の開口端から前記取付部に螺合したときに前記取付パネルと対向する第２対向面と、を有し、前記他方の開口端から前記第２対向面までの距離が、前記一方の開口端から前記第１対向面までの距離よりも長いものとされている、表示装置の取付具。
【請求項２】
請求項１に記載の表示装置の取付具であって、
前記張出部は複数の突起を有しており、
前記取付部には、前記複数の突起のうち少なくとも一対の突起の間に進入したロック位置と、前記ロック位置から、前記取付パネルの厚み方向に沿って後退した非ロック位置とに移動可能に設けられるロック部材をさらに備える、表示装置の取付具。
【発明の詳細な説明】
【技術分野】
【０００１】
本発明は、表示装置の取付具に関する。
【背景技術】
【０００２】
従来、船舶等に設けられた取付パネルに取り付けられる魚群探知機等の表示装置が知られている。この種の表示装置は、通常、取付パネルに設けられた取付孔にその一部が挿通された形で取付パネルの裏側からネジ留めされることで、取付パネルに対して取り付けられる。このような表示装置が、例えば特許文献１に開示されている。
【先行技術文献】
【特許文献】
【０００３】
【特許文献１】特許第４８７１２３５号公報
【発明の概要】
【発明が解決しようとする課題】
【０００４】
しかしながら、特許文献１に開示された表示装置では、取付パネルの厚さによっては、表示装置をネジ留めするためのスペースを取付パネルの裏側において十分に確保することができず、表示装置を取付パネルに対して安定して取り付けることが困難であった。
【０００５】
本明細書で開示される技術は、上記の課題に鑑みて創作されたものであって、取付パネルの厚みに拘わらず、表示装置を取付パネルに対して安定して取り付けることができる表示装置の取付具を提供することを目的とする。
【課題を解決するための手段】
【０００６】
本明細書で開示される技術は、取付パネルに形成された円形状の取付孔に、表示画面を有する表示装置を取り付けるための取付具であって、前記表示装置のうち前記表示画面を有しない面から円筒状に突出し、前記取付孔に挿通されるとともに、外周面にネジ溝が形成された取付部と、円環状をなし、一方の開口端および他方の開口端の両方の内周面に、前記取付部のネジ溝と螺合するネジ溝が形成され、外周面に、前記取付孔よりも外側に張り出した張出部が設けられた螺合部材と、を備え、前記張出部は、前記螺合部材が前記一方の開口端から前記取付部に螺合したときに前記取付パネルと対向する第１対向面と、前記螺合部材が前記他方の開口端から前記取付部に螺合したときに前記取付パネルと対向する第２対向面と、を有し、前記他方の開口端から前記第２対向面までの距離が、前記一方の開口端から前記第１対向面までの距離よりも長いものとされていることを特徴とする表示装置の取付具に関する。
【０００７】
上記の表示装置の取付具によると、取付孔に挿通された取付部に螺合部材を螺合することで、表示装置の一部と螺合部材との間に取付パネルが挟み込まれ、これにより、表示装置を取付パネルに対して取り付けることができる。このとき、取付パネルの取付孔の開口縁がその全周に亘って表示装置の一部と螺合部材との間に挟み込まれることとなるため、表示装置を取付パネルの複数箇所にネジ留め等することで取付パネルに取り付ける従来の構成と比べて、表示装置を取付パネルに対して安定して取り付けることができる。
【０００８】
さらに上記の表示装置の取付具では、螺合部材の一方の開口端から第１対向面までの距離が他方の開口端から第２対向面までの距離と異なっているので、螺合部材をその一方の開口端から取付部に螺合した場合とその他方の開口端から取付部に螺合した場合で、取付パネルを挟み込むときの表示装置の一部と螺合部材との間の距離が異なるものとされる。このため、その厚みが相対的に大きな取付パネルに対しては、第２対向面が取付パネルと対向するように螺合部材を取付部に螺合させ、その厚みが相対的に小さな取付パネルに対しては、第１対向面を取付パネルと対向するように螺合部材を取付部に螺合させることで、取付パネルの厚みに拘わらず、表示装置の一部と螺合部材との間に取付パネルを挟み込むことができる。以上のように、上記の表示装置の取付具によると、取付パネルの厚みに拘わらず、表示装置を取付パネルに対して安定して取り付けることができる。
【０００９】
上記の表示装置の取付具において、前記張出部は複数の突起を有しており、前記取付部には、前記複数の突起のうち少なくとも一対の突起の間に進入したロック位置と、前記ロック位置から、前記取付パネルの厚み方向に沿って後退した非ロック位置とに移動可能に設けられるロック部材をさらに備えてもよい。
【００１０】
この構成によると、ロック部材が非ロック位置に移動した状態では、張出部の少なくとも一対の突起の間からロック部材が外れているため、螺合部材を回転させて取付部に螺合することができる。一方、ロック部材がロック位置に移動した状態では、張出部の少なくとも一対の突起の間にロック部材が進入することで、螺合部材が回転不能とされる。このため、螺合部材を取付部に螺合したときに螺合部材が振動等によって取付部から外れる方向に回転することをロック部材によって防止することができ、螺合部材が取付部から意図せず外れることを防止することができる。
【発明の効果】
【００１１】
本明細書で開示される技術によれば、取付パネルの厚みに拘わらず、表示装置を取付パネルに対して安定して取り付けることができる表示装置の取付具を提供することができる。
【図面の簡単な説明】
【００１２】
【図１】実施形態に係る表示装置を表側から視た斜視図
【図２】第１対向状態における表示装置を裏側から視た斜視図
【図３Ａ】第１対向状態における表示装置の側面図と第１の取付パネルの側断面図
【図３Ｂ】第２対向状態における表示装置の側面図と第２の取付パネルの側断面図
【図４】表示装置の背面図
【図５】取付ナットが外された表示装置を裏側から視た斜視図
【図６】取付ナットの斜視図
【図７】ロック部材の斜視図
【図８】表示装置の金具取付部近傍を裏側から視た斜視図
【図９】表示装置の金具取付部近傍を側方から視た斜視図
【図１０】第１対向状態におけるロック部材の係合態様を示す斜視図
【図１１】第２対向状態におけるロック部材の係合態様を示す斜視図
【発明を実施するための形態】
【００１３】
図面を参照して実施形態を説明する。本実施形態では、船舶等に設けられた取付パネルＰ（図２参照）に取り付けられる魚群探知機等に用いられる表示装置１と、この表示装置１を上記取付パネルＰに形成された円形状の取付孔ＰＨに取り付けるための取付ナット（螺合部材の一例）２０とを例示する。図１及び図２に示すように、表示装置１は、前方（図１では紙面左側）に露出して配された表示部２と、表示部２を囲むパネル部材４と、後方に配されたカバー部材６と、を備え、これらが互いに組み付けられた構成とされる。
【００１４】
なお、各図面の一部には互いに直交するＸ軸、Ｙ軸及びＺ軸を示しており、各軸方向が各図面で共通した方向となるように描かれている。このうちＸ軸方向は左方向（左側方）と一致しており、Ｙ軸方向は上方向と一致しており、Ｚ軸方向は後方向（裏方向）と一致しており、取付パネルの厚み方向と一致している。
【００１５】
（表示装置の構成）
表示部２は、略正方形状をなしており、表示画面２Ａと保護パネル２Ｂと操作部２Ｃとを有している。表示画面２Ａは、例えば液晶パネル（不図示）と、液晶パネルに光を供給するバックライト（不図示）とからなっている。保護パネル２Ｂは、透過性部材であり、表示画面２Ａの前面を覆うように配され、表示画面２Ａを外部から保護している。表示画面２Ａの下方には、ダイヤルや複数のラバーキーからなる操作部２Ｃが設けられている。
【００１６】
パネル部材４は、樹脂材料で形成され、表示部２を囲む枠状をなしており、表示部２の側面の全域を覆っている。カバー部材６は、表示部２及びパネル部材４の後方側に配される。カバー部材６は、樹脂材料で形成され、パネル部材４の後方側にその内周に沿って取り付けられる略正方形の平板状の平板部６Ａと、この平板部６Ａの裏面から円筒状に突出する取付部６Ｂと、からなっている。図４に示すように、表示装置１を後方側から視たときの取付部６Ｂの外周の大きさは、平板部６Ａの外周の大きさよりも一回り小さいものとなっている。なお本実施形態では、取付ナット２０とカバー部材６における取付部６Ｂと後述するロック部材３０の組み合わせが取付具の一例である。
【００１７】
取付部６Ｂの外周面の一部、具体的には外周面における左右両側の部位には、図７に示すように、取付パネルＰの厚み方向（取付部６Ｂの中心軸方向、Ｚ軸方向）に亘ってネジ溝（以下、取付部側ネジ溝と称する）６Ｃが形成されている。この取付部側ネジ溝６Ｃに対して、後述する取付ナット２０が螺合される構成となっている。
【００１８】
円形状とされた取付部６Ｂの後面のうち上側の半円部分には、図４に示すように、表示部２に電源を供給するための下方に開口する３つの電源コネクタ７Ａ，７Ｂが設けられている。このうち３つの電源コネクタ７Ａ，７Ｂのうち、略中央に設けられた１つのコネクタは第１電源コネクタ７Ａとされ、他の２つは第２電源コネクタ７Ｂとされる。表示装置１の作動時には、第１電源コネクタ７Ａと第２電源コネクタ７Ｂのうちいずれか一方が用いられ、他の一方はシールテープ等によって封止される。
【００１９】
円形状とされた取付部６Ｂの後面のうち下側の半円部分には、図５に示すように、後方に向かってさらに突出する突出部６Ｄが設けられている。この突出部６Ｄの一部には、後述するロック部材３０の収容部８が設けられている。
【００２０】
（取付ナットの構成）
続いて図６等を参照して取付ナット２０の構成について詳しく説明する。取付ナット２０は、図６に示すように、Ｚ軸方向、即ち取付パネルＰの厚み方向における両端が開口した円環状をなしており、本体部２０Ａと、本体部２０Ａの外周面から外側に張り出す張出部２０Ｂとからなっている。
【００２１】
本体部２０Ａは、図４に示すように、その内径が取付部６Ｂの外径と略等しいものとされ、その内周面の全域に亘って取付部側ネジ溝６Ｃと螺合するネジ溝（以下、ナット側ネジ溝と称する）２０Ｃが形成されている（図６参照）。
【００２２】
本実施形態において取付部側ネジ溝６Ｃ及びナット側ネジ溝２０Ｃは、取付部６Ｂを後方側から視たとき（図４参照）の右回り方向が取付ナット２０の締め込み方向となるようにそれぞれ形成されている。従って、取付ナット２０のナット側ネジ溝２０Ｃを取付部６Ｂの取付部側ネジ溝６Ｃの後端に宛がった状態で取付ナット２０を右周りに回転させると、取付ナット２０が取付部６Ｂに螺合されていき、取付ナット２０が取付パネルＰの厚み方向に沿って前方に進行する。
【００２３】
張出部２０Ｂは、図６に示すように、張出部２０Ｂの全周に亘って鍔状に張り出す鍔状部２０Ｂ１と、張出部２０Ｂの全周に亘って略等間隔で形成された複数の突起２０Ｂ２とからなっており、本体部２０Ａの外周面のうち一方の開口端２１寄りの位置から外側に張り出している（図３Ａ及び図３Ｂ参照）。張出部２０Ｂは、本体部２０Ａの外周面から外側に張り出すことで、その外径が本体部２０Ａの外径よりも大きいものとなっている。
【００２４】
本実施形態の表示装置１を取付パネルＰの取付孔ＰＨに取り付ける場合、カバー部材６の取付部６Ｂを取付孔ＰＨに挿通させ、取付ナット２０を取付部６Ｂに螺合することで、取付ナット２０の張出部２０Ｂが取付パネルＰと対向する。さらに取付ナット２０を締め込み方向に回転させることで、取付ナット２０の張出部２０Ｂが取付パネルＰと当接して張出部２０Ｂとカバー部材６の平板部６Ａとの間に取付パネルＰが挟み込まれ、これにより、表示装置１が取付パネルＰに対して取り付けられる。このような取付態様とされていることで、取付パネルＰに設けられた取付孔ＰＨの開口縁がその全周に亘って挟み込まれた状態で表示装置１が取付パネルＰに取り付けられることとなる。このため、本実施形態の取付態様では、取付パネルＰの裏側からネジ留めすることで表示装置１を取付パネルＰに取り付ける従来の取付態様と比べて、表示装置１を取付パネルＰに対して安定して取り付けることができる。
【００２５】
ここで本実施形態では、張出部２０Ｂのうち、取付ナット２０を一方の開口端２１から取付部６Ｂに螺合したときに取付パネルＰと対向する面が第１対向面２０Ｂ３とされ（図３Ａ参照）、取付ナット２０を他方の開口端２２から取付部６Ｂに螺合したときに取付パネルＰと対向する面が第２対向面２０Ｂ４とされる（図３Ｂ参照）。以下では、張出部２０Ｂの第１対向面２０Ｂ３が取付パネルＰと対向する向きで取付ナット２０が取付部６Ｂに螺合した状態を第１対向状態（図３Ａで示す状態）と称し、張出部２０Ｂの第２対向面２０Ｂ４が取付パネルＰと対向する向きで取付ナット２０が取付部６Ｂに螺合した状態を第２対向状態（図３Ｂで示す状態）と称する。
【００２６】
図３Ａ及び図３Ｂに示すように、本実施形態の取付ナット２０では、一方の開口端２１と第１対向面２０Ｂ３との取付パネルＰ１、Ｐ２の厚み方向（Ｚ軸方向）における位置が一致しているのに対し、他方の開口端２２と第２対向面２０Ｂ４との取付パネルＰ１、Ｐ２の厚み方向（Ｚ軸方向）における位置が異なっている。従って、取付ナット２０では、他方の開口端２２から第２対向面２０Ｂ４までの距離が、一方の開口端２１から第１対向面２０Ｂ３までの距離よりも長いものとなっている。
【００２７】
取付ナット２０が上記構成とされていることで、その厚みが相対的に小さい第１の取付パネルＰ１の場合（図３Ａ参照）には、取付ナット２０をその一方の開口端２１から取付部６Ｂに螺合することで、第１対向面２０Ｂ３からカバー部材６の平板部６Ａまでの距離Ｄ１を相対的に小さくすることができる。一方、その厚みが相対的に大きい第２の取付パネルＰ２の場合（図３Ｂ参照）には、取付ナット２０を反転させ、取付ナット２０をその他方の開口端２２から取付部６Ｂに螺合することで、第２対向面２０Ｂ４からカバー部材６の平板部６Ａまでの距離Ｄ２を相対的に大きくすることができる。
【００２８】
このように、取付パネルＰの厚みに応じて、取付ナット２０を取付部６Ｂに螺合したときの取付ナット２０の張出部２０Ｂからカバー部材６の平板部６Ａまでの距離を変えることができる。このため、取付パネルＰの厚みに拘わらず、張出部２０Ｂと平板部６Ａとの間に取付パネルＰを安定して挟み込むことができ、本実施形態の表示装置１を取付パネルＰに取り付けることができる。
【００２９】
なお本実施形態において、取付部６Ｂの外径は、表示装置１が取り付けられる規定の取付パネルＰの取付孔ＰＨの内径とほぼ同等となるように設計されており、上述したように取付ナット２０において一方の開口端２１と第１対向面２０Ｂ３の取付パネルＰの厚み方向（Ｚ軸方向）における位置が一致している。このため、取付ナット２０をその一方の開口端２１から取付部６Ｂに螺合すると、張出部２０Ｂと平板部６Ａとの間には取付部側ネジ溝６Ｃのみが露出し（図３Ａ参照）、表示装置１を第１の取付パネルＰ１に取り付けた状態では、第１の取付パネルＰ１の取付孔ＰＨ１の内周面は取付部側ネジ溝６Ｃと近接した状態となる。
【００３０】
一方、取付ナット２０をその他方の開口端２２から取付部６Ｂに螺合すると、張出部２０Ｂと平板部６Ａとの間には取付部側ネジ溝６Ｃと取付ナット２０の本体部２０Ａが露出する（図３Ｂ参照）。ここで本体部２０Ａの外径は取付部側ネジ溝６Ｃの外径よりも大きいので、取付ナット２０をその他方の開口端２２から取付部６Ｂに螺合する場合、取付パネルＰの取付孔ＰＨを拡げる加工が必要となる。第２の取付パネルＰ２についてこの加工を施した後、表示装置１を第２の取付パネルＰ２に取り付けた状態では、第２の取付パネルＰ２の取付孔ＰＨ２の内周面は本体部２０Ａの外周面と近接した状態となる。
【００３１】
（ロック部材の構成及び取付態様）
続いて取付部６Ｂに螺合された取付ナット２０を回転不能にロックするためのロック部材３０の構成及びその取付態様について詳しく説明する。ロック部材３０は、金属製とされ、図７に示すように、第１板状部３１と、第２板状部３２と、第３板状部３３と、から構成される逆Ｕ字状をなしている。
【００３２】
第１板状部３１は、後述するカバー部材６の収容部８に収容される部位とされ、その中央に前後方向（Ｚ軸方向）を長辺として長方形状に開口する開口部３１Ａが設けられている。また、この開口部３１Ａと第１板状部３１の先端との間の部位には、第１板状部３１の厚み方向（Ｘ軸方向）に窪んだ窪み部３１Ｂが前後方向（Ｚ軸方向）に沿って２つ並んで形成されている。これらの窪み部３１Ｂは、第１板状部３１の外側に開口する形で窪んでいる。また、これらの窪み部３１Ｂの内面は、２つの窪み部３１Ｂの間に位置する非窪み部３１Ｃに向かって立ち上がるテーパ状となっている。
【００３３】
第３板状部３３は、第１板状部３１と平行となるように対向している。第３板状部３３の一方の側端部（Ｙ軸方向における端部）には、第３板状部３３から第１板状部３１側に向かうように斜め方向に屈曲して延びる屈曲部３３Ａが設けられている。第２板状部３２は、第１板状部３１及び第２板状部３２に対して直交する姿勢で両者の間に連接している。
【００３４】
ここでロック部材３０が収容されるカバー部材６の収容部８の構成について説明する。図５に示すように、カバー部材６の突出部６Ｄのうち、右側面の一部には、ロック部材３０の第１板状部３１が収容されるように切り欠かれた収容部８が設けられている。収容部８は、突出部６Ｄの前端から後端に亘って右側方に開口するともに後方にも開口する形で設けられている。
【００３５】
図８に示すように、収容部８において右側方に開口する部位の開口縁は内側に折り込まれており、収容部８における右側方に露出する面と近接した状態で対向している（以下、上記折り込まれた部位の先端を折り込み先端部８Ａと称し、上記右側方に露出する面を側方露出面８Ｂと称する）。ロック部材３０の第１板状部３１を収容部８に収容した状態では、折り込み先端部８Ａと側方露出面８Ｂとの間に第１板状部３１がその厚み方向に挟み込まれた形となり、これにより、ロック部材３０が収容部８に対して左右方向（Ｘ軸方向）に移動不能に係合される。
【００３６】
図９に示すように、収容部８の側方露出面８Ｂには、半球状に突出する複数の半球状突起８Ｃと、上下方向（Ｙ軸方向）から視た断面が台形状となるように突出する台形状突起８Ｄとが、前後方向に沿って並んで設けられている。具体的には、側方露出面８Ｂの上下方向略中央位置に４つの半球状突起８Ｃが前後方向に沿って連続して並んで設けられ、それらの半球状突起８Ｃの後方に１つの台形状突起８Ｄが設けられている。また、台形状突起８Ｄの側面のうち前方の側面は、側方露出面８Ｂに対して垂直となるように立ち上がっている。
【００３７】
このような構成とされた収容部８にロック部材３０を収容する場合、第１板状部３１の先端を半球状突起８Ｃと台形状突起８Ｄの間に宛がい、上述したように折り込み先端部８Ａと側方露出面８Ｂとの間に第１板状部３１がその厚み方向に挟み込まれるように、ロック部材３０を前後方向に沿って移動させる。すると、図１０に示すように、第１板状部３１の２つの窪み部３１Ｂにそれぞれ半球状突起８Ｃが入り込むとともに、隣り合う半球状突起８Ｃの間に第１板状部３１の非窪み部３１Ｃが入り込んだ状態となり、これによりロック部材３０が前後方向（Ｚ軸方向）に係合される。
【００３８】
ここで、２つの窪み部３１Ｂの内面は上述したようにテーパ状とされているので、ロック部材３０が前後方向に係合された状態において前後方向に力を加えることで、ロック部材３０を前後方向に沿って移動させることができる。また、ロック部材３０を前後方向に移動させる際、窪み部３１Ｂよりも後方に位置する半球状突起８Ｃは、開口部３１Ａに入り込んでおり第１板状部３１と干渉しないため、ロック部材３０を前後方向に沿って滑らかに移動させることができる。このため、４つの半球状突起８Ｃの間で、ロック部材３０を前後方向に沿って段階的に移動させることができる。
【００３９】
また、ロック部材３０を前後方向に係合された状態から後方へ移動させていくと、開口部３１Ａの前端面３１Ａ１（図７参照）が台形状突起８Ｄの前方の側面と当接する（図１１参照）。ここで、上述したように台形状突起８Ｄの前方の側面は側方露出面８Ｂに対して垂直に立ち上がっているので、上記前端面３１Ａ１は台形状突起８Ｄの前方の側面に対して面で当接する。このため、上記前端面３１Ａ１が台形状突起８Ｄと当接した状態では、ロック部材３０がそれ以上後方へと移動し難いものとなる。即ち、台形状突起８Ｄは、収容部８からのロック部材３０の抜け止め機能を果たす。
【００４０】
続いて収容部８に収容されたロック部材３０と取付ナット２０との係合態様について説明する。取付ナット２０が取付部６Ｂに螺合した状態において、ロック部材３０を収容部８に収容して前方へ移動させると、図１０及び図１１に示すように、ロック部材３０の屈曲部３３Ａが取付ナット２０の複数の突起２０Ｂ２のうち一対の突起２０Ｂ２の間に進入した状態となる（以下、この状態におけるロック部材３０の位置をロック位置と称する）。ロック部材３０がロック位置に移動した状態では、取付ナット２０が回転すると屈曲部３３Ａの両側に位置する上記一対の突起２０Ｂ２の一方が屈曲部３３Ａと干渉し、取付ナット２０がそれ以上回転することが防止される。即ち、取付ナット２０がロック部材３０によって回転不能にロックされる。
【００４１】
一方、ロック部材３０をロック位置から後方へ移動させると、ロック部材３０の屈曲部３３Ａが取付ナット２０の上記一対の突起２０Ｂ２の間から外れた状態となる（以下、この状態におけるロック部材３０の位置を非ロック位置と称する）。ロック部材３０が非ロック位置に移動した状態では、取付ナット２０を回転させても上記一対の突起２０Ｂ２が屈曲部３３Ａと干渉しないため、取付ナット２０が回転可能となる。即ち、ロック部材３０がロック位置から非ロック位置に移動することで、ロック部材３０による取付ナット２０の回転のロックが解除される。
【００４２】
（実施形態の効果）
以上説明したように本実施形態では、取付パネルＰの取付孔ＰＨに挿通された表示装置１の取付部６Ｂに取付ナット２０を螺合することで、表示装置１の平板部６Ａと取付ナット２０との間に取付パネルＰが挟み込まれ、これにより、表示装置１を取付パネルＰに対して取り付けることができる。このとき、取付パネルＰの取付孔ＰＨの開口縁がその全周に亘って表示装置１の平板部６Ａと取付ナット２０との間に挟み込まれることとなるため、表示装置１を取付パネルＰの複数箇所にネジ留め等することで取付パネルＰに取り付ける従来の構成と比べて、表示装置１を取付パネルＰに対して安定して取り付けることができる。
【００４３】
さらに本実施形態では、取付ナット２０の一方の開口端２１から第１対向面２０Ｂ３までの距離が他方の開口端２２から第２対向面２０Ｂ４までの距離と異なっているので、取付ナット２０をその一方の開口端２１から取付部６Ｂに螺合した場合とその他方の開口端２２から取付部に螺合した場合で、取付パネルＰを挟み込むときの表示装置１の平板部６Ａと取付ナット２０との間の距離が異なるものとされる。このため、その厚みが相対的に大きな第２の取付パネルＰ２に対しては、その取付孔ＰＨ２（図３Ｂ参照）に取付部６Ｂを挿通して第２対向面２０Ｂ４が第２の取付パネルＰ２と対向するように取付ナット２０を取付部６Ｂに螺合させ、その厚みが相対的に小さな第１の取付パネルＰ１に対しては、その取付孔ＰＨ１（図３Ａ参照）に取付部６Ｂを挿通して第１対向面２０Ｂ３を第１の取付パネルＰ１と対向するように取付ナット２０を取付部６Ｂに螺合させることで、取付パネルＰ１、Ｐ２の厚みに拘わらず、表示装置１の平板部６Ａと取付ナット２０との間に取付パネルＰ１、Ｐ２を挟み込むことができる。以上のように、本実施形態では、取付パネルＰの厚みに拘わらず、表示装置１を取付パネルＰに対して安定して取り付けることができる。
【００４４】
また本実施形態では、張出部２０Ｂが複数の突起２０Ｂ２を有しており、取付部６Ｂには、複数の突起２０Ｂ２のうち一対の突起２０Ｂ２の間に進入したロック位置と、ロック位置から取付パネルＰの厚み方向に沿って後退した非ロック位置とに移動可能に設けられるロック部材３０を備える構成とされている。このような構成とされていることで、ロック部材３０が非ロック位置に移動した状態では、張出部２０Ｂの一対の突起２０Ｂ２の間からロック部材３０が外れているため、取付ナット２０を回転させて取付部６Ｂに螺合することができる。一方、ロック部材３０がロック位置に移動した状態では、張出部２０Ｂの一対の突起２０Ｂ２の間にロック部材３０が進入することで、取付ナット２０が回転不能とされる。このため、取付ナット２０を取付部６Ｂに螺合したときに取付ナット２０が振動等によって取付部６Ｂから外れる方向に回転することをロック部材３０によって防止することができ、取付ナット２０が取付部６Ｂから意図せず外れることを防止することができる。
【００４５】
＜他の実施形態＞
本発明は上記既述及び図面によって説明した実施形態に限定されるものではなく、例えば次のような実施形態も本発明の技術的範囲に含まれる。
【００４６】
（１）上記の実施形態では、取付ナットの一方の開口端と第１対向面の取付パネルの厚み方向における位置が一致している構成を例示したが、この構成に限定されない。取付ナットに１つの張出部が設けられている場合、一方の開口端から第１対向面までの上記厚み方向における距離と、他方の開口端から第２対向面までの上記厚み方向における距離とが異なるように張出部が設けられていればよい。
【００４７】
（２）上記の実施形態では、取付ナットに１つの張出部が設けられている構成を例示したが、取付ナットに２つの張出部が設けられている構成であってもよい。この場合、取付ナットにおいて、他方の開口端から他方の張出部における当該他方の開口端側の面（第２対向面）までの距離が、一方の開口端から一方の張出部における当該一方の開口端側の面（第１対向面）までの距離よりも長いものとされていればよい。
【００４８】
（３）上記の実施形態では、張出部の鍔状部及び突起が張出部の全周に亘って形成されている構成を例示したが、鍔状部及び突起が張出部の外周面の一部に形成されている構成であってもよい。
【００４９】
（４）上記の実施形態では、魚群探知機等に用いられる表示装置についての取付具を例示したが、他の様々な用途に用いられる表示装置についても本発明は適用可能である。
【００５０】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【符号の説明】
【００５１】
１…表示装置
２…表示部
２Ａ…表示画面
４…パネル部材
６…カバー部材
６Ａ…平板部
６Ｂ…取付部
６Ｃ…取付部側ネジ溝
６Ｄ…突出部
８…収容部
８Ａ…折り込み先端部
８Ｂ…側方露出面
８Ｃ…半球状突起
８Ｄ…台形状突起
２０…取付ナット
２０Ａ…本体部
２０Ｂ…張出部
２０Ｂ１…鍔状部
２０Ｂ２…突起
２０Ｂ３…第１対向面
２０Ｂ４…第２対向面
２０Ｃ…ナット側ネジ溝
２１…一方の開口端
２２…他方の開口端
３０…ロック部材
３１…第１板状部
３１Ａ…開口部
３１Ｂ…窪み部
３１Ｃ…非窪み部
３２…第２板状部
３３…第３板状部
３３Ａ…屈曲部
【図１】
2015075649.tif 000003
【図２】
2015075649.tif 000004
【図３Ａ】
2015075649.tif 000005
【図３Ｂ】
2015075649.tif 000006
【図４】
2015075649.tif 000007
【図５】
2015075649.tif 000008
【図６】
2015075649.tif 000009
【図７】
2015075649.tif 000010
【図８】
2015075649.tif 000011
【図９】
2015075649.tif 000012
【図１０】
2015075649.tif 000013
【図１１】
2015075649.tif 000014